(57)【特許請求の範囲】
【請求項１】
上面および下面に設けた少なくとも一条の溝が交差し、これらの溝が前記交差部で貫通孔を形成できる深さであり、下面には、下面の溝に連通した枝溝が設けられたことを特徴とするコンクリートスラブ用埋込材。
【請求項２】
貫通孔の上部に、上面の溝と同じ深さの円筒部が設けられたことを特徴とする請求項１に記載のコンクリートスラブ用埋込材。
【請求項３】
溝は短辺方向または長辺方向に沿って設けられたことを特徴とする請求項１または２に記載のコンクリートスラブ用埋込材。
【請求項４】上下面に貫通した切込溝が長辺方向または短辺方向に沿って少なくとも一本設けられ、該切込溝に連通した枝溝が下面に設けられたことを特徴とするコンクリートスラブ用埋込材。
【請求項５】請求項１〜４に記載のコンクリートスラブ用埋込材のうちの少なくとも一種以上をコンクリート板に設置してなることを特徴とするプレキャストコンクリート板。
【請求項６】請求項５に記載のプレキャストコンクリート板のうちの少なくとも一種以上を梁間に隣接状態で敷設して下床を形成し、該下床上にトップコンクリートを打設してなることを特徴とする中空コンクリートスラブ。
【発明の詳細な説明】
【０００１】
【発明の属する技術分野】
本発明はコンクリートスラブ用埋込材、プレキャストコンクリート板および中空コンクリートスラブに関するものである。
【０００２】
【従来の技術】
中空コンクリートスラブは、図１９の（１）および（２）に示すように、コンクリートスラブ用埋込材３７を配設したプレキャストコンクリート板３８上にトップコンクリート３９が打設されて構築されている。この中空コンクリートスラブ４０は軽く、かつコンクリートスラブ用埋込材３７を配設しないスラブと同程度の重量床衝撃音性能を有している。
【０００３】
しかし、上記の中空コンクリートスラブ４０は、コンクリートスラブ用埋込材３７の中空部における上部コンクリート（以下上部シェルという）４１と下部コンクリート（以下下部シェルという）４２とが共振、いわゆる太鼓現象を起こすため、特に１ＫＨＺ前後の周波数帯域で軽量床衝撃音性能が著しく低下するという問題があった。
【０００４】
そこで、このような太鼓現象を防ぐために、同図の（３）に示すように、コンクリートスラブ用埋込材３７を四分割等、複数に分割した中空コンクリートスラブ４３が考えられている。
【０００５】
【発明が解決しようとする課題】
しかし、上記のコンクリートスラブ用埋込材は複数に分割されているため、コンクリート板への設置に手間がかかるという問題があった。
【０００６】
本発明はこれらの問題に鑑みてなされたものであり、その目的は、コンクリート板への設置が簡単にでき、かつ上部シェルと下部シェルとの共振、すなわち太鼓現象を防ぐことのできるコンクリートスラブ用埋込材、プレキャストコンクリート板および中空コンクリートスラブを提供することである。
【０００７】
【課題を解決するための手段】
以上の課題を解決するための手段は、請求項１の発明のコンクリートスラブ用埋込材が、上面および下面に設けた少なくとも一条の溝が交差し、これらの溝が前記交差部で貫通孔を形成できる深さであり、下面には、下面の溝に連通した枝溝が設けられたことを特徴とし、また請求項２の発明のコンクリートスラブ用埋込材が、請求項１において、貫通孔の上部に、上面の溝と同じ深さの円筒部が設けられたことを特徴とし、また請求項３の発明のコンクリートスラブ用埋込材が、請求項１または２において、溝は短辺方向または長辺方向に沿って設けられたことを特徴とし、また請求項４の発明のコンクリートスラブ用埋込材が、上下面に貫通した切込溝が長辺方向または短辺方向に沿って少なくとも一本設けられ、該切込溝に連通した枝溝が下面に設けられたことを特徴とし、また請求項５の発明のプレキャストコンクリート板が、請求項１〜４に記載のコンクリートスラブ用埋込材のうちの少なくとも一種以上をコンクリート板に設置してなることを特徴とし、また請求項６の発明の中空コンクリートスラブが、請求項５に記載のプレキャストコンクリート板のうちの少なくとも一種以上を梁間に隣接状態で敷設して下床を形成し、該下床上にトップコンクリートを打設してなることを特徴とする。
【０００８】
埋込材の上面および下面の溝により中空コンクリートスラブの上部シェルおよび下部シェルの剛性を高めるリブを形成することができるとともに、貫通孔により上部シェルと下部シェルとが接続されるため、これらの共振、すなわち太鼓現象を防ぐことができる。また上面の溝は配管用及び配線用として有効利用することができる。また円筒部により貫通孔にトップコンクリートが打設されやすくなる。下面の溝および枝溝が排水用の水みちとなる。また上下面に貫通した切込溝にトップコンクリートが打設されると、コンクリートスラブ用埋込材が複数に分割されて設置されたようになるとともに、上部シェルと下部シェルとが接続されるため、これらの共振、すなわち太鼓現象を防ぐことができる。太鼓現象を防いで軽量床衝撃音性能を高めるプレキャストコンクリート板および中空コンクリートスラブを提供することができる。
【０００９】
【発明の実施の形態】
以下、本発明のコンクリートスラブ用埋込材（以下埋込材という）、プレキャストコンクリート板（以下ＰＣ板という）および中空コンクリートスラブ（以下スラブという）の実施の形態を図面に基づいて説明する。はじめに埋込材について説明した後、この埋込材を使用したＰＣ板およびスラブについての実施の形態について説明するが、各実施の形態において同じ構成は同じ符号を付して説明し、異なった構成は異なった符号を付して説明する。
【００１０】
図１は第１の実施の形態の埋込材１を示したものである。この埋込材１はポリスチレン系樹脂やポリオレフイン系樹脂などの発泡体であり、上下面に一条の溝２が交差した状態で設けられ、四隅の下方には係止具の打込しろ３が形成されている。上面の上部溝２ａは短辺方向に沿ったほぼ中央部に、上側が幅広で、かつ埋込材の厚さＨの半分以上の深さで形成されている。一方、下面の下部溝２ｂも長辺方向に沿ったほぼ中央部に、下側が幅広で、かつ埋込材の厚さＨの半分以上の深さで設けられている。よって、この上部溝２ａと下部溝２ｂとの交差部には上下に貫通した貫通孔４が形成され、ここから下部溝２ｂにトップコンクリート（図示せず）が打設される。この上部溝２ａと下部溝２ｂとは一端側が幅広であるため、前記トップコンクリートが打設されやすくなっている。また上部溝２ａおよび下部溝２ｂは上記の断面形状に限らず、断面方形、断面円形、断面Ｕ形のほかどのような形状であっても良い。さらに上部溝２ａおよび下部溝２ｂは、埋込材の両端部まで貫通していなくとも、両者が交差していれば中途部までしか形成されていない状態であってもよい。
【００１１】
図２は第２の実施の形態の埋込材５を示したものである。この埋込材５は貫通孔４の上部に上部溝２ａと同じ深さの円筒部６を設けてトップコンクリートを下部溝２ｂに打設しやすくしたものであり、これ以外は第１の実施の形態の埋込材１と同じ構成である。この円筒部６は上部溝２ａを円形に切欠したため、その底面に係止具の打込しろ３が形成される。さらに、この埋込材５を上部溝２ａに沿って二分割したとき、円筒部底面の打込しろ３を二分割した埋込材における四隅の打込しろとすることができる。
【００１２】
図３は第３の実施の形態の埋込材７を示したものである。この埋込材７は、第１および第２の実施の形態の埋込材１、５の下面に下部溝２ｂと連通した枝溝８を設けたものであり、これ以外は前記埋込材１、５と同じ構成である。この枝溝８は埋込材７の軽量化を図るものであり、下部溝２ｂと連通させたことにより、排水用の水みちにすることができる。
【００１３】
図４および図５は第４および第５の実施の形態の埋込材９、１０を示したものである。これらの埋込材９、１０は上部溝２ａを２本または３本にしたものであり、これ以外は第１の実施の形態の埋込材１と同じ構成である。このように上部溝２ａを複数にすると複数の貫通孔４から下部溝２ｂにトップコンクリートが打設されるようになる。
【００１４】
図６は第６の実施の形態の埋込材１１を示したものである。この埋込材１１は下部溝２ｂを２本にしたものであり、これ以外は第１の実施の形態の埋込材１と同じ構成である。このように上部溝２ａおよび下部溝２ｂは必要に応じて任意の数設けることができ、かつ任意の数の組み合わせにすることもできる。また、上部溝２ａを埋込材１の長辺方向に沿って設けることや、下部溝２ｂを埋込材１の短辺方向に沿って設けることもできる。
【００１５】
なお、第４〜第６の実施の形態の埋込材９、１０、１１に、第２の実施の形態の埋込材５の円筒部６と第３の実施の形態の埋込材７の枝溝８とを少なくとも一つ設けることもできる。
【００１６】
図７は第７の実施の形態の埋込材１２を示したものである。この埋込材１２は発泡体の長辺方向に沿って上下面に貫通した切込溝１３を設けたものであり、ここにトップコンクリートが打設されると埋込材１２が二分割されたようになる。
【００１７】
図８は第８の実施の形態の埋込材１４を示したものである。この埋込材１４は下面に下部溝２ｂと連通した枝溝８を設けたものであり、第３の実施の形態の埋込材７と同じ効果を奏することができる。
【００１８】
図９は第９の実施の形態の埋込材１５を示したものである。この埋込材１５は、発泡体の短辺方向に沿って上下面に貫通した切込溝１３を設けたものであり、これ以外は第７の実施の形態の埋込材１２と同じ構成である。
【００１９】
また図１０および図１１は、第１０および第１１の実施の形態の埋込材１６、１７を示したものである。これらの埋込材１６、１７は長辺方向の切込溝１３と短辺方向の切込溝８とを形成することにより、埋込材１６、１７が四分割または六分割されたようにしたものであり、第７の実施の形態の埋込材１２と同じ効果を奏することができる。なお、これらの埋込材１６、１７にも第８の実施の形態の埋込材１４と同じ枝溝８を設けることができる。
【００２０】
次に、上記の埋込材を使用したＰＣ板の実施の形態について説明するが、各実施の形態において上記と同じ構成は同じ符号を付して説明し、異なった構成は異なった符号を付して説明する。
【００２１】
図１２は第１の実施の形態のＰＣ板１８を示したものである。このＰＣ板１８はコンクリート板１９の長辺方向に沿って適宜間隔ごとに配筋されたトラス筋２０間に第１の実施の形態の埋込材１が設置されて構成されている。このトラス筋２０は、三角形状に配置された一本の上弦筋２１と二本の下弦筋２２とが波形のラチス筋２３で接合されたものであり、下弦筋２２がコンクリート板１９の曲げ補強筋２４に接合されている。このような埋込材１は上部溝２ａと下部溝２ｂとにより、あたかも四分割された埋込材がコンクリート板１９に設置されたようになっている。また上部溝２ａにはトップコンクリートが打設されやすく、かつ下部溝２ｂにも貫通孔４からトップコンクリートが打設されやすくなっている。
【００２２】
図１３は第２の実施の形態のＰＣ板２５を示したものである。このＰＣ板２５はコンクリート板１９のトラス筋２０間に第２の実施の形態の埋込材５を設置したものであり、これ以外は前記ＰＣ板１８と同じ構成である。これも円筒部６から貫通孔４にトップコンクリートが打設されやすく、かつ円筒部５の底面に形成された打込しろ３によって埋込材５を中央部で固定することもできる。
【００２３】
なお、上記のＰＣ板１８、２５の他に第３〜第１１の埋込材７、９、１０、１１、１２、１４、１５、１６、１７を使用したＰＣ板、あるいは第１〜第１１の埋込材１、５、７、９、１０、１１、１２、１４、１５、１６、１７を少なくとも二種以上使用したＰＣ板を形成することもできる。
【００２４】
次に、上記のＰＣ板１８、２５を使用したスラブの実施の形態について説明するが、各実施の形態において上記と同じ構成は同じ符号を付して説明し、異なった構成は異なった符号を付して説明する。
【００２５】
図１４〜図１６は第１の実施の形態のスラブ２６を示し、第１の実施の形態のＰＣ板１８が長尺梁２７と短尺梁２８との間に敷設されて下床２９が形成され、ここにスラブ上端筋３０が配筋されるとともにトップコンクリート３１が打設されて形成されたものである。このトップコンクリート３１が埋込材１の上部溝２ａと下部溝２ｂとに打設されて上部シェル３２と下部シェル３３との剛性を大きくする上部リブ３４ａと、下部リブ３４ｂとが形成され、これらが貫通孔４の連結体４ａで接合されている。したがって、これらの共振、すなわち太鼓現象を防ぐことができる。すなわち、上部リブ３４ａと下部リブ３４ｂとは、図１６に示すように、格子状になって各埋込材１間に打設されたトップコンクリート３１に連結されている。特に、下部リブ３４ｂは下部シェル（コンクリート板１９）３３の長辺方向の全長にわたって形成されるため、下部シェル３３の長辺方向の剛性、すなわち「たわみ」を少なくすることができるの、下部シェル３３自体の振動を押さえることができる。さらに下部リブ３４ｂと交差した上部リブ３４ａが連結体４ａで連結されて格子状を形成してスラブ２６全体の剛性を高めている。
【００２６】
図１７および図１８は第２の実施の形態のスラブ３５を示し、第２の実施の形態のＰＣ板２５で形成された下床２９上にトップコンクリート３１が打設されて形成されたものであり、これ以外は第１の実施の形態のスラブ２６と同じ構成である。これは貫通孔４上部の円筒部６により貫通孔４および下部溝２ｂにトップコンクリート３１を打設しやすくしたものであり、その他は第１の実施の形態のスラブ２６と同じ効果を奏する。
【００２７】
また第３〜第１１の埋込材７、９、１０、１１、１２、１４、１５、１６、１７を使用したＰＣ板、あるいは第１〜第１１の埋込材１、５、７、９、１０、１１、１２、１４、１５、１６、１７を少なくとも二種以上組み合わせたＰＣ板を使用したスラブを構築することもできる。
【００２８】
【発明の効果】
埋込材の上部溝と下部溝とによりスラブの上部シェルおよび下部シェルの剛性を高めるリブを形成することができるとともに、貫通孔により上部シェルと下部シェルとが接続されるため、これらの共振、すなわち太鼓現象を防ぐことができる。
【００２９】
上面の溝は配管用及び配線用として有効利用することができる。
【００３０】
円筒部により貫通孔にトップコンクリートを打設しやすくなる。
【００３１】
下部溝と枝溝とを排水用の水みちにすることができる。
【００３２】
上下面に貫通した切込溝にトップコンクリートが打設されると、コンクリートスラブ用埋込材が複数に分割して設置されたようになるとともに、上部シェルと下部シェルとが接続されるため、これらの共振、すなわち太鼓現象を防ぐことができる。
【００３３】
太鼓現象を防いで軽量床衝撃音性能を高めるプレキャストコンクリート板および中空コンクリートスラブを提供することができる。
【図面の簡単な説明】
【図１】第１の実施の形態の埋込材であり、（１）は斜視図、（２）は平面図、（３）一部切欠断面図、（４）は（１）のＡ−Ａ線断面図、（５）は底面図である。
【図２】第２の実施の形態の埋込材であり、（１）は斜視図、（２）は平面図、（３）一部切欠断面図、（４）は（１）のＢ−Ｂ線断面図、（５）は底面図である。
【図３】第３の実施の形態の埋込材であり、（１）は底面図、（２）は一部切欠断面図である。
【図４】第４の実施の形態の埋込材であり、（１）は平面図、（２）は一部切欠断面図、（３）は（１）のＣ−Ｃ線断面図、（４）は底面図である。
【図５】第５の実施の形態の埋込材であり、（１）は平面図、（２）は一部切欠断面図、（３）は（１）のＤ−Ｄ線断面図、（４）は底面図である。
【図６】第６の実施の形態の埋込材であり、（１）は平面図、（２）は側面図である。
【図７】第７の実施の形態の埋込材であり、（１）は平面図、（２）は（１）のＥ−Ｅ線断面図である。
【図８】第８の実施の形態の埋込材であり、（１）は底面図、（２）は（１）のＦ−Ｆ線断面図である。
【図９】第９の実施の形態の埋込材であり、（１）は平面図、（２）は（１）のＧ−Ｇ線断面図である。
【図１０】第１０の実施の形態の埋込材であり、（１）は平面図、（２）は（１）のＨ−Ｈ線断面図、（３）は（１）のＩ−Ｉ線断面図、（４）は底面図である。
【図１１】第１１の実施の形態の埋込材であり、（１）〜（３）は長辺方向の切込溝と短辺方向の切込溝とを組み合わせた埋込材の平面図である。
【図１２】（１）は第１の実施の形態のＰＣ板の平面図、（２）は（１）のＪ−Ｊ線断面図、（３）は（１）の長辺方向に沿った断面図である。
【図１３】（１）は第２の実施の形態のＰＣ板の平面図、（２）は（１）のＫ−Ｋ線断面図、（３）は（１）の長辺方向に沿った断面図である。
【図１４】第１の実施の形態のスラブの一部切欠平面図である。
【図１５】（１）は図１４のＬ−Ｌ線断面図、（２）は同Ｍ−Ｍ線断面図、（３）は同Ｎ−Ｎ線断面図、（４）は同Ｏ−Ｏ線断面図である。
【図１６】第１の実施の形態のスラブの上部シェルと下部シェルとを示す平面図である。
【図１７】第２の実施の形態のスラブの一部切欠平面図である。
【図１８】（１）は図１６のＰ−Ｐ線断面図、（２）は同Ｑ−Ｑ線断面図、（３）は同Ｒ−Ｒ線断面図、（４）は同Ｓ−Ｓ線断面図である。
【図１９】（１）は従来のスラブの断面図、（２）および（３）は同じく従来のスラブの一部切欠断面図である。
【符号の説明】
１、５、７、９、１０、１１、１２、１４、１５、１６、１７、３７  埋込材
２  溝
２ａ  上部溝
２ｂ  下部溝
３  打設しろ
４  貫通孔
４ａ  連結体
６  円筒部
８  枝溝
１３  切込溝
１８、２５、３８  ＰＣ板
１９  コンクリート板
２０  トラス筋
２１  上弦筋
２２  下弦筋
２３  ラチス筋
２４  曲げ補強筋
２６、３５、４０、４３  スラブ
２７  長尺梁
２８  短尺梁
２９  下床
３０  スラブ上端筋
３１、３９  トップコンクリート
３２、４１  上部シェル
３３、４２  下部シェル
３４ａ  上部リブ
３４ｂ    下部リブ
Ｈ  埋込材の厚さ
【図１】
0003584210.tif 000002
【図２】
0003584210.tif 000003
【図３】
0003584210.tif 000004
【図４】
0003584210.tif 000005
【図５】
0003584210.tif 000006
【図６】
0003584210.tif 000007
【図７】
0003584210.tif 000008
【図８】
0003584210.tif 000009
【図９】
0003584210.tif 000010
【図１０】
0003584210.tif 000011
【図１１】
0003584210.tif 000012
【図１２】
0003584210.tif 000013
【図１３】
0003584210.tif 000014
【図１４】
0003584210.tif 000015
【図１５】
0003584210.tif 000016
【図１６】
0003584210.tif 000017
【図１７】
0003584210.tif 000018
【図１８】
0003584210.tif 000019
【図１９】
0003584210.tif 000020